(57)【特許請求の範囲】
【請求項１】
箱状に形成したケースファイルの箱体の側周壁のうち隣合う二辺の側周壁に、綴じ具および押さえ具が着脱自在な支持基体をそれぞれ設け、当該各支持基体は、上面に装着口を設けると共に、その下方左右に係止部を設けて上記綴じ具および押さえ具に設けた係止片が係着可能とし、一方の支持基体に綴じ具を装着し、他方の支持基体に押さえ具を装着したことを特徴とするケースファイル。
【請求項２】
綴じ具が、折曲部で折曲可能に連設した底板、背板および上板で構成し、底板に所定の間隔をおいて綴じ杆を立設し上板でこれを閉止して書類を綴じ込み可能とし、背板から底板にかけて設けた切欠に支持基体の装着口の幅の間隔をおいて先端に係止爪を有する係止片を設けた請求項１記載のケースファイル。
【請求項３】
押さえ具が、先端に平坦部を有する側面視略Ｓ字状の挟持板の後端に鉛直方向に挿通板を立設し、その両側にスリットを介して支持基体の装着口の幅の間隔をおいて先端に係止爪を有する係止片を設けた請求項１記載のケースファイル。
【発明の詳細な説明】
【０００１】
【発明の属する技術分野】
この発明は、各種の書類を収納保管したり携行したりする場合に使用する、箱状のケースファイルに関するもので、書類の綴じ具と押さえ具をそれぞれ着脱自在に取付けたことを技術的特徴とするものである。
【０００２】
【従来の技術】
Ａ４、Ｂ５等の規格サイズの書類を収納保管し、或いは携行するために、従来から箱状に形成されたいわゆるケースファイルが広く利用されているが、従来のケースファイルには書類の押さえ機構や綴じ具などは装備されていないか、固定的に設けた綴じ杆を使用するものであった。
【０００３】
【発明が解決しようとする課題】
そのため、ケース内に収納した書類は携行時に内部でガタついて書類がばらけたり、書類の端が折れ曲がったり裂け目ができるなど、書類の周縁を傷めたりしていた。また、綴じ杆を使用するものは、書類に綴じ穴をあけなければ収納することができず、ケースの短辺部または長辺部の何れか一方にしか綴じ杆が設けられていないため、予め綴じ穴を設けた書類はその位置によって収納することができない場合があり、さらに綴じ穴をあけることができない書類には適さないなど、収納可能な書類が限定されていた。
【０００４】
一方、書類の種類に関係なく綴込可能なものとして、平板の一辺縁部に綴じ具を設けたクリップボードや、二つ折りで表紙を設けたクリップファイル等がある。これらに使用されるクリップは、略長方形状に折曲した鋼線材の長尺の一辺にバネを緊縮した状態で巻着してボードに固定し、バネの復元力によって他の一辺で書類を押圧挟持するようにしたものであるが、綴じる書類の量（厚み）によってバネ圧が変化するから、書類の量が多いときは書類の着脱が困難であり、逆に書類が少なすぎると書類が脱落してしまうおそれがあったうえ、その構成が複雑となり製造コストのかかるものであった。
【０００５】
而して、上記ケースファイルにクリップボード等に使用されるクリップを適用しようとすると、ケースの側周壁が障害となって、バネで付勢されたクリップを持ち上げて開くことが困難である上、開いたクリップ内に書類を水平方向から挿入することも困難で、書類の着脱には必ずしも適さないものであった。
【０００６】
また、上述した各種の綴じ具は、通常、基板の上辺部または左辺部の何れか１箇所に固定的に取付けていたため、ゼムクリップやファスナー、ステープラー等で既に綴じてある書類を挟持しようとすると、綴じ位置で綴じ具と該ステープラー等とが干渉して不便であった。
【０００７】
本発明は、書類の綴じ具および押さえ具を着脱自在として装着位置を選択できるようにし、書類の種類に関係なく確実にケース内に収納保持できるようにしたケースファイルを提供することを目的とするものである。
【０００８】
【課題を解決するための手段】
本発明は上記課題を解決するためなされたもので、箱状に形成したケースファイルの箱体の側周壁のうち隣合う二辺の側周壁に綴じ具および押さえ具が着脱自在な支持基体を設け、一方の支持基体に綴じ具を装着し、他方の支持基体に押さえ具を装着するようにしたものである。
【０００９】
而して、上記支持基体は、上面に装着口を設けると共に、その下方左右に係止部を設けて上記綴じ具および押さえ具に設けた係止片が係着し得るようにしたものである。
【００１０】
また、綴じ具は、折曲部で折曲可能に連設した底板、背板、上板で構成し、底板に所定の間隔をおいて綴じ杆を設けると共に上板でこれを閉止するようにし、背板から底板にかけて設けた切欠の中央に支持基体の装着口の幅に対応する間隔をおいて、先端に支持基体の係止部と係合する係止爪を有する係止片を設ける構成とした。
【００１１】
また、押さえ具は、先端に平坦部を有する側面視略Ｓ字状の挟持板の後端部を鉛直方向に折曲して挿通板とし、その両側にスリットを介して、先端に支持基体の係合部と係合する係止爪を有する係止片を支持基体の装着口の幅に対応する間隔で設けるという構成とした。
【００１２】
上記構成のケースファイルは、ケース内に収納する書類を、綴じ穴をあけた書類は綴じ具で、また、その他の書類は押さえ具でケース内に保持して、携行時等に書類のがたつきを抑制するものである。
而して、その場合、ケースに支持基体を設けると共に、上記綴じ具および押さえ具はそれらの支持基体に着脱自在に装着するようにして、装着位置を選択できるから、書類の綴じ穴の有無や位置に関係なく、確実に書類を保持するものである。
【００１３】
【発明の実施の形態】
以下、本発明にかかるケースファイルを図面に示す実施の形態に基づいてさらに詳述する。
図１において、１はＡ４、Ｂ５等の規格サイズの用紙より一回り大きくしたケースファイルの箱体、２はその蓋体であって、上記箱体１にヒンジ３を介して開閉可能に連結すると共に、箱体１および蓋体２の互いに対応する位置に設けた留め具４によって確実に閉止するようにしたものである。また、箱体１の側周壁１ａのうち左辺（ヒンジ３側）と上辺の内側にそれぞれ支持基体５を設けて、下述する書類の綴じ具６および押さえ具７を選択的にかつ着脱自在に装着し得るようにしたものである。
【００１４】
この支持基体５は、例えば図３（Ａ）、図６（Ａ）に示すように、上面に綴じ具６または押さえ具７に設けた係止片を挿入する装着口５ａを設けると共に、その下方左右に係止部５ｂを設けて挿入した上記係止片の係止爪が係合するようにして、上記綴じ具６または押さえ具７を装着可能とする。
【００１５】
次に、図２は上記綴じ具６の一例を示すものであるが、図において８は底板、９は背板、１０は上板であって、折曲部１１、１１でそれぞれ折曲可能に連結したものである。
底板８には所定の間隔をおいて頭頂部に係止球１３を有する綴じ杆１２、１２を立設し、上板１０の対応する位置には上記係止球１３が嵌合する係着口１４を設け、上板１０を閉止することで、綴じ穴をあけた書類（図示せず）を綴込可能とする。なおこの綴込構造はこれに限定するものでなく、従来公知の綴込構造が適用できるものである。
【００１６】
また、上記背板９から底板８にかけて連結部分の中央に上記支持基体５が挿通可能な切欠１５を設けると共に、背板９側に、上記支持基体５の装着口５ａの幅に対応する間隔をおいて、先端に係止爪１６ａを有する係止片１６、１６を突設する。また、両係止片１６の間は、装着口５ａに挿入する際の補助となる挿通板１７とする。
なお１８は、この綴じ具６を支持基体５に装着したときに書類の端部が上記係止片１６等と干渉しないようにするための保護板である。
【００１７】
上記綴じ具６は、図３に示すように、支持基体５の上方から、係止片１６および挿通板１７を装着口５ａ内に挿入すると、係止片１６の係止爪１６ａが支持基体５の係止部５ｂと弾性的に係合して、綴じ具６全体の抜け外れを規制するものである。
【００１８】
また、この係止具６を取り外す場合は、図４に示すように、綴じ具６全体を左右何れかの方向にずらすように押せば、同図（Ｂ）▲２▼に示すように、一方の係止片１６が撓んで反対側の係止爪１６ａの係止部５ａとの係合が解除され、そのまま傾けて上方に引き出せば綴じ具６が簡単に取り外せるものである。
【００１９】
次に、図５は上記押さえ具７の一例を示すもので、図において１９は側面視略Ｓ字状で先端に平坦部１９ａを設けると共に中央部分を切欠した挟持板で、弾性によって書類を挟持する適当な押圧力を得るようにしたものである。この挟持板１９の後端は鉛直方向に折曲して挿通板２０とし、その両側はスリット２０ａを介して上記支持基体５の装着口５ａの幅に対応する間隔で、係止片２１、２１を立設し、各係止片２１の先端に係止爪２１ａを設ける。即ち、支持基体５に対する係着構造は上記綴じ具６とほぼ同じ構成である。
【００２０】
尚、上記平坦部１９ａは、その下面が上記挿通板２０及び係止片２１を装着口５ａに挿入して係止爪２１ａを係止部５ｂに係合させたときに箱体１の底板面より低くなるような位置関係に設定し、書類が２〜３枚と少量の場合でも、弾性で平坦部１９ａが書類を押圧挟持するに充分な押圧力を得るようにしている。
【００２１】
この押さえ具７は、図６に示すように、支持基体５の上方から挿通板２０および係止片２１を挿入口５ａ内に挿入すると、係止片２１の係止爪２１ａが支持基体５の係止部５ｂと弾性的に係合して、押さえ具７全体の抜け外れを規制するものである。
【００２２】
また、この押さえ具７を取り外す場合は、同図（Ｃ）に示すように、係止片２１の中間部を左右から押圧すれば、係止片２１がスリット２０ａ側に撓んで係止爪２１ａと係止部５ｂの係合が解除されるので、そのまま上方に引き出すだけでよい。
【００２３】
なお、上記綴じ具６および押さえ具７において、挿通板１７または２０を設けたのは、係止片１６、２１の幅を細くして撓み易くすると共に、図７に示すように、この挿通板１７、２０によって支持基体５に嵌着したときに綴じ具６または押さえ具７にかかる力（Ｆ）に耐え得るようにするためである。特に、押さえ具７にあっては、挟持する書類の厚さが大ききなるほど、挿通板２０および係止片２１にかかる力が大きくなるので、該部を保護するのに有効である。
【００２４】
次に、上記構成にかかる本発明のケースファイルの使用方法について説明すると、左辺ないしは上辺に綴じ穴を有する書類の場合には、先ず上記綴じ具６の綴じ杆１２を利用して綴じ合わせ、その綴じ具６をケースファイルの何れか一方の支持基体５に装着してケース内に収納する。書類は綴じ具６で保持されるからケース内でばらけることがなく、書類周縁を傷めることもない。このとき、綴じ具６はケースファイルの左辺ないしは上辺に選択的に着脱自在であるから、左辺に綴じ穴を設けた書類であっても、上辺に綴じ穴を設けた書類であってもケースファイル内に収納保管することができる。
【００２５】
また、綴じ具６は書類を綴じ込んだままでケースファイルに着脱できるので、複数の綴じ具６にそれぞれ書類を分類して綴じ込んでおけば、書類の差し替えを簡単に行うことができる。
なお、上記綴じ具６は、支持基体５に装着した後でも、上板１０を開閉して書類を自由に抜き差しできるものである。
【００２６】
一方、綴じ穴を開けることができない書類の場合は、先に書類を箱体に収納し、その後で押さえ具７を支持基体５に装着して書類を押圧、挟持する。このとき平坦部１９ａが箱体の底板面に圧着した状態で設定されているから、書類の量が少なくてもこれを挟持するに充分な押圧力が得られる。また、従来のクリップと異なり、押さえ具７を上下方向に着脱するものであるから、書類の出し入れが簡単に行えるものである。
【００２７】
また、押さえ具７はケースファイルの左辺ないしは上辺に選択的に着脱自在であるから、例えば予めステープラーやファスナーで綴じ合わせられた書類をそのまま収納する場合も、綴じ合わせ位置と干渉しない位置に押さえ具７を装着して書類をケースファイル内に収納保管できる。
【００２８】
更に、綴じ具６と押さえ具７を併用すれば、綴じ具６を利用して箱内に書類を収納すると共に、更に押さえ具７で押さえて書類（Ｐ）のガタつきを抑制でき（図８（Ａ）参照）、又は、例えば図８（Ｂ）に示すように、押さえ具７を書類（Ｐ）の束の途中に挿入して、しおりの代用として利用することもできる。
【００２９】
【発明の効果】
以上述べたように、本発明に係るケースファイルは、書類の綴じ具と押さえ具を選択的にかつ着脱自在に装着して書類を収納可能としたものであるから、書類に応じて綴じ具を使用するか押さえ具を使用するかを選択できると共に、書類に設けられた綴じ穴の位置に応じて綴じ具の装着位置を選定できるなど、優れた効果が期待できるものである。
【００３０】
また、綴じ具と押さえ具を装備したものであるから、携行時に書類がばらけたり、書類の周縁を傷めたりするおそれがなく、種々の書類を綴じ込むことができると共に、この綴じ具および押さえ具は上下方向に着脱するので書類の収納が容易であり使いやすい。
【００３１】
さらに、綴じ具単位で書類の差し替えが可能であり、書類の管理に便利であると共に、押さえ具をしおりとしても利用できるなど、種々の優れた効果が期待できるものである。
【図面の簡単な説明】
【図１】本発明に係るケースファイルの全体斜視図である。
【図２】綴じ具の一例を示す斜視図で、（Ａ）は前方斜め上方から、（Ｂ）は後方斜め下方から見たもので、（Ｃ）は上板を開いた状態を示すものである。
【図３】綴じ具を支持基体に装着する状態を一部切欠して示す説明図である。
【図４】綴じ具を取り外す場合の説明図である。
【図５】押さえ具の一例を示す図で、（Ａ）は前方斜め上方から、（Ｂ）は後方斜め下方から見たものである。
【図６】押さえ具の着脱方法を示す説明図である。
【図７】綴じ具または押さえ具に働く力の説明図である。
【図８】本発明に係るケースファイルの使用の例を示す説明図である。
【符号の説明】
１      箱体
２      蓋体
３      ヒンジ
５      支持基体
５ａ    装着口
５ｂ    係止部
６      綴じ具
７      押さえ具
８      底板
９      背板
１０      上板
１２      綴じ杆
１６      係止片
１６ａ    係止爪
１９      挟持板
１９ａ    平坦部
２０      挿通板
２０ａ    スリット
２１      係止片
２１ａ    係止爪
【図１】
0003609899.tif 000002
【図２】
0003609899.tif 000003
【図３】
0003609899.tif 000004
【図４】
0003609899.tif 000005
【図５】
0003609899.tif 000006
【図６】
0003609899.tif 000007
【図７】
0003609899.tif 000008
【図８】
0003609899.tif 000009